(57)【要約】【課題】小型化および軽量化を可能とした媒体収容部とこの媒体収容部を備えた紙幣自動入金機を提供する。【解決手段】側壁１１に複数の係止孔１２，１２，…が上下方向に所定の間隔をあけて形成されたカセット１０と、カセット１０の内部において上下に移動可能に設けられたステージ２０と、ステージ２０の上方に設けられた集積ガイド３０と、ステージ２０の上方に配設されてステージ２０に下方向の押圧力を付与する押圧プレート４０と、ステージ２２に上方向の力を常時付勢する付勢部材６０と、を備える媒体収容部５に紙幣を収容する紙幣自動入金機。ステージ２０は、横方向に移動可能でかつ係止孔１２に係止可能となるように設けられた係止部材２２と、当該係止部材２２に側壁１１方向の力を付勢する弾性部材２３とを備え、この係止部材２２は、下面に側壁１１に向かって上向きに傾斜する傾斜部２２ｂを有している。【選択図】図３
2010122935.tif 000002
【特許請求の範囲】
【請求項１】
側壁に複数の係止孔が上下方向に所定の間隔をあけて形成された箱体と、
前記箱体の内部において上下に移動可能に設けられたステージと、
前記ステージの上方に設けられた集積ガイドと、
前記ステージの上方に配設されて前記ステージに下方向の押圧力を付与する押圧プレートと、
前記ステージに上方向の力を常時付勢する付勢部材と、を備えており、
前記ステージは、前記箱体の前記側壁に対向して設けられ横移動して前記係止孔と係止状態になる係止部材と、当該係止部材に前記側壁方向の力を付勢する弾性部材と、を備え、  
前記係止部材は、当該係止部材の下面と前記側壁とがなす角が鋭角である傾斜部を有しており、前記押圧プレートによる下方向の押圧力が前記ステージに作用した際に、前記傾斜部が前記係止孔の孔縁に沿って摺動することで当該係止部材が前記側壁と反対側に横移動することを特徴とする、媒体収容部。
【請求項２】
前記所定の間隔は、下方に行くに従って狭くなっていることを特徴とする、請求項１に記載の媒体収容部。
【請求項３】
前記押圧プレートが、収容された媒体の枚数に応じて前記ステージに押し圧力を付与することを特徴とする、請求項１または請求項２に記載の媒体収容部。
【請求項４】
前記箱体は、前記ステージが前記箱体の底部に到達した際に前記係止部材を前記側壁と反対側に横移動させる係止解除手段を底部に備えており、
前記ステージは、前記係止解除手段により横移動した前記係止部材の位置を保持する保持手段を備えることを特徴とする、請求項１乃至請求項３のいずれか１項に記載の媒体収容部。
【請求項５】
前記集積ガイドは、前記保持手段による前記係止部材の保持状態を解除するための保持状態解除部を備えることを特徴とする、請求項４に記載の媒体収容部。
【請求項６】
請求項1乃至請求項５のいずれか１項に記載の媒体収容部を備えることを特徴とする、紙幣自動入金機。
【発明の詳細な説明】
【技術分野】
【０００１】
本発明は、媒体収容部およびこの媒体収容部を備えた紙幣自動入金機に関するものである。
【背景技術】
【０００２】
紙幣自動入金機において、入金口から挿入された媒体は、一枚ずつ真券であることを確認された後、媒体収容部へと搬送されて、収納される。
図８（ａ）は、従来の紙幣自動入金機が備える媒体収容部の構成を示す図である。
【０００３】
このような紙幣自動入金機の媒体収容部１１０は、一般的にステージ１２０と集積ガイド１３０と押圧プレート１４０とを備えている。
【０００４】
媒体収容部１１０に搬送された媒体Ｓは、まず、集積ガイド１３０に収容される。次に、図示しないモータの動力により、集積ガイド１３０が上昇するとともに押圧プレート１４０が下降して、ステージ１２０と集積ガイド１３０との間に媒体Ｓが押し込まれる。その後、集積ガイド１３０が下降することで、媒体Ｓがステージ１２０と集積ガイド１３０とにより把持される。
また、ステージ１２０は、媒体収容部１１０内に集積された媒体Ｓの枚数に応じて、媒体収容部１１０の下部に設けられたモータＭの動力により下方へと移動し、媒体収容部１１０内への媒体Ｓの収容を行う。
【０００５】
ところが、このような従来の紙幣自動入金機は、媒体収容部１１０内にステージ１２０を可動させるためのモータＭを備えていることにより、媒体収容部１１０の小型化および軽量化に限界があった。
これに対して、紙幣自動入金機は、媒体収容部１１０の外部にモータＭを設置する場合もある。これにより紙幣自動入金機は、媒体収容部１１０の形状を小型化することができる。しかしながら、このように構成された紙幣自動入金機は、多数の駆動伝達部品を配置する必要があるため、装置の構成が複雑になり、これにより、製造時やメンテナンス時に手間がかかるとともに、部品点数の増加により高価になるという問題点を有していた。
【０００６】
そのため、例えば、引用文献１には、ステージ１２０を可動させるためのモータを省略し、媒体収容部の小型化を可能にした紙幣自動入金機が開示されている。
図８（ｂ）は引用文献１の紙幣自動入金機の概要を示す斜視図である。
【０００７】
引用文献１の紙幣自動入金機は、媒体収容部２１０の内部の側壁に設けられたガイドレール２３０と、ガイドレール２３０に沿って上下方向に移動するステージ２２０と、ガイドレール２３０に沿って設けられ、かつ、複数の係止孔２４１を有する係止レール２４０と、複数の係止孔２４１の中のいずれか一つと係止するロック部材２２１と、ロック部材２２１による係止状態を解除するためのロック解除手段２２２と、ステージ２２０に上向きの力を付勢する付勢部材２５０と、を備えている。
【０００８】
ロック部材２２１は、ステージ２２０に取り付けられた回転軸２２３を中心にして回転する係止爪である。なお、回転軸２２３は軸心が水平になるように回転可能な状態でステージ２２０に取り付けられている。ロック部材２２１は、係止孔２４１側に付勢力が作用した状態で配置されている。また、ロック解除手段２２２は回転軸２２３に固定されている。ロック部材２２１は、ロック解除手段２２２が操作されることにより回転するように構成されている。
【０００９】
媒体収容部２１０は、所定枚数の媒体が媒体収容部２１０に挿入されると、図示しない押圧プレートがステージ２２０を下方向に押し込む。このとき、ステージ２２０は、押圧プレートの押し込み力により下方に移動する。また、このとき、ステージ２２０の移動に伴い、ロック部材２２１も下降する。そのため、係止孔２４１に係止されていたロック部材２２１は、係止孔２４１と反対側に回転して係止孔２４１から外れる。この後、ロック部材２２１は、次の係止孔２４１に対応する位置までステージ２２０が移動する。すると、ロック部材２２１は、付勢力が作用して次の係止孔２４１に入り込む。これにより、ステージ２２０が固定される。
【００１０】
なお、ロック部材２２１は、媒体を取り出す際に、ロック解除手段２２２を介して係止孔２４１の反対側に回転させられる。これにより、媒体収容部２１０は、ステージ２２０の係止状態を解除し、ステージ２２０を上昇させる。
【００１１】
【特許文献１】特許第２６７７６１１号公報
【発明の開示】
【発明が解決しようとする課題】
【００１２】
しかしながら、引用文献１に記載の紙幣自動入金機は、ロック部材２２１、ロック解除手段２２２および回転軸２２３がステージ２２０に設けられるとともに、ロック部材２２１を係止させるための部材（係止レール２４０）をガイドレール２３０に沿って設けられている。そのため、部品点数が多くなり、これにより、媒体収容部２１０の小型化および軽量化が妨げられていた。
【００１３】
本発明は、小型化および軽量化を可能とした媒体収容部と、この媒体収容部を備えた紙幣自動入金機を提供することを目的とする。
【課題を解決するための手段】
【００１４】
前記目的を達成するため、本発明の媒体収容部は、側壁に複数の係止孔が上下方向に所定の間隔をあけて形成された箱体と、前記箱体の内部において上下に移動可能に設けられたステージと、前記ステージの上方に設けられた集積ガイドと、前記ステージの上方に配設されて前記ステージに下方向の押圧力を付与する押圧プレートと、前記ステージに上方向の力を常時付勢する付勢部材と、を備えており、前記ステージは、前記箱体の前記側壁に対向して設けられ横移動して前記係止孔と係止状態になる係止部材と、当該係止部材に前記側壁方向の力を付勢する弾性部材と、を備え、前記係止部材は、当該係止部材の下面と前記側壁とがなす角が鋭角である傾斜部を有しており、前記押圧プレートによる下方向の押圧力が前記ステージに作用した際に、前記傾斜部が前記係止孔の孔縁に沿って摺動することで当該係止部材が前記側壁と反対側に横移動することを特徴としている。
【発明の効果】
【００１５】
本発明によれば、媒体収容部の小型化および軽量化が可能となる。
【発明を実施するための最良の形態】
【００１６】
図１は、本発明の好適な実施形態に係る紙幣自動入金機の構成を示す概略図である。
図１に示すように、本実施形態の紙幣自動入金機１は、入金部２と、認識部３と、一時保留部４と、媒体収容部５と、を有している。
【００１７】
入金部２は、シャッタ６により開閉される入金口７から挿入された紙幣（媒体）Ｓを集積する部位であって、分離部８と、集積部９と、を備えている。なお、ここでは、本発明に係る媒体収容部５を紙幣自動入金機１に用いているため、媒体は紙幣となる。しかしながら媒体収容部５を他の用途の装置に用いる場合には、その用途に応じた媒体（例えば帳票などの紙葉類）となる。
【００１８】
紙幣自動入金機１では、紙幣Ｓの入金時に、紙幣Ｓが入金口７から入金部２に挿入される。入金部２に挿入された紙幣Ｓは、分離部８に一括搬送されて、当該分離部８において１枚ずつ分離される。分離された紙幣Ｓは、認識部３にて紙幣ごとに判別され、一時保留部４の集積部９に集積される。
【００１９】
一時保留部４は、入金部２と同様に、分離部８と集積部９とを備えている。
一時保留部４は、集積部９に一時的に集積された紙幣Ｓを、分離部８により１枚ずつ分離した後、返却される紙幣Ｓを入金部２の集積部９に、集積される紙幣Ｓを金種毎（例えば万円札、千円札等）に媒体収容部５に送り出す。
【００２０】
紙幣自動入金機１は、紙幣Ｓが金種毎に収納できるように、複数の媒体収容部５を備えている。
【００２１】
図２（ａ）は第一の実施形態に係る媒体収容部５の構成を示す斜視図、図２（ｂ）は媒体収容部５の断面図である。なお、説明において、前後左右は図２（ａ）に示す方向で統一する。
媒体収容部５は、図２（ａ）および図２（ｂ）に示すように、カセット（箱体）１０と、ステージ２０と集積ガイド３０と押圧プレート４０と取り込みローラ５０と付勢部材６０と、を備えて構成されている。
【００２２】
カセット（箱体）１０は、搬送された紙幣Ｓを収納する部材であって、前側の側壁１１に複数の係止孔１２，１２，…が上下方向に所定の間隔をあけて形成されている。また、カセット１０は、後側の側壁１３に沿って、ステージ２０の昇降案内をするためのガイドレール１４が配設されている。さらに、カセット１０の底面には、係止解除手段１５が設けられている（図６参照）。
【００２３】
係止孔１２は、ステージ２０の後記する係止部材２２を挿入するための矩形状の貫通孔であって、所定枚数の紙幣Ｓの厚みに応じてその間隔が設定されている。
本実施形態では、係止孔１２同士の間隔は、カセット１０の下方に行くに従って狭く形成されている。これにより、媒体収容部５は、紙幣Ｓの全積層枚数が増加するに従って長期間押圧力が付与され、その結果、紙幣Ｓが圧縮されても、圧縮された紙幣Ｓの厚みに対応することができる。
【００２４】
なお、係止孔１２同士の間隔および形状は限定されるものではなく、適宜設定することが可能である。また、本実施形態では、係止孔１２は、カセット１０の側壁１１を貫通しているが、貫通しない形状に形成されていてもよい。
【００２５】
ガイドレール１４は、ステージ２０を昇降案内するガイド部材である。本実施形態では、ガイドレール１４は、図２（ａ）に示すように、カセット１０の後側の側壁１３の内面に沿って設けられた２本の棒状部材として形成されている。このガイドレール１４は、摺動部材２１ａに挿通可能でかつ断面が円形の形状となっている。
本実施形態では、ガイド部材としてガイドレール１４を用いているが、ガイド部材は、これに限定されるものではなく、適宜公知の方式や部材から選定して採用することができる。
【００２６】
ステージ２０は、媒体収容部５に搬送された紙幣Ｓが集積される部材である。ステージ２０は、集積ガイド３０とともに紙幣Ｓを把持する。
図３はステージ２０と集積ガイド３０と押圧プレート４０との関係を詳細に示す図である。図３（ａ）は図２（ｂ）のＡ−Ａ断面図、図３（ｂ）は図３（ａ）に示すＢ−Ｂ断面図である。
【００２７】
ステージ２０は、図３（ａ）および（ｂ）に示すように、カセット１０の内部において、上下方向に移動可能に設けられており、付勢部材６０により下方から上向きの力が常時付勢されている。
【００２８】
ステージ２０は、紙幣Ｓが集積される載置板２１と、係止孔１２に係止可能となるように設けられた係止部材２２と、係止部材２２に対して、係止孔１２方向の力（横方向の力）を付勢する弾性部材２３と、係止部材２２の係止孔１２への係止を解除する解除レバー２４と、を備えている。
【００２９】
載置板２１は、図３（ａ）に示すように、紙幣Ｓの形状に応じた大きさを有する略矩形の板材である。載置板２１は、後側（側壁１３側）端部に、摺動部２１ａが形成されている。
【００３０】
摺動部２１ａは、ガイドレール１４が挿通される部位である。摺動部２１ａは、載置板２１から突出して設けられており、ガイドレール１４を挿通させるための挿通孔が形成されている。
ステージ２０は、摺動部２１ａを介してガイドレール１４に沿って摺動する。このとき、ステージ２０は、略水平を維持したまま昇降する。
【００３１】
載置板２１は、図３（ａ）に示すように、下面に、解除レバー２４を保持する保持板２１ｂ，２１ｃが、それぞれ後端部と前端部に形成されている。
【００３２】
保持板２１ｂ，２１ｃは、それぞれ解除レバー２４が施錠方向又は開錠方向に移動できるように、解除レバー２４を保持している。なお、保持板２１ｂ，２１ｃは、載置板２１の下面から所定の間隔（係止部材２２の移動を妨げない高さ）をあけた状態で解除レバー２４を保持している。
【００３３】
載置板２１の後端部に形成された保持板２１ｂは、解除レバー２４を摺動可能に保持するための貫通孔が形成されており、かつ、後記するストッパ２５を挿通するための開口部が形成されている。
【００３４】
一方、載置板２１の前端部に形成された保持板２１ｃは、解除レバー２４を摺動可能に保持するための挿通孔が形成されている。この保持板２１ｃは、下端部に解除レバー２４を下方から支持する爪部２１ｄが形成されている。
なお、この保持板２１ｃは、係止部材２２の後方に形成されている。この保持板２１ｃは、弾性部材２３の反力板として機能する。さらに、保持板２１ｃの爪部２１ｄは、係止部材２２が後側に移動した際に、突起部２２ｃと接触するように形成されており、係止部材２２（解除レバー２４）のストッパ部材として機能する。
【００３５】
係止部材２２は、図３（ａ）に示すように、ステージ２０の前端部から一部が突出するように配設された部材である。
【００３６】
係止部材２２は、前後方向（横方向）への移動が可能であって、弾性部材２３により、前方向の力が常時作用している。これにより、係止部材２２は、係止孔１２に対応する位置にステージ２０が配置された際に、係止孔１２に入り込む。
【００３７】
係止部材２２は、その上面２２ａが平面状に形成されている。係止部材２２は、水平を呈し、係止孔１２の孔縁に上面２２ａが係止することで、上方向に付勢されたステージ２０を固定する。なお、係止部材２２の上面２２ａは、付勢部材６０により付勢される力により抜け出すことなく係止孔１２に係止した状態を保つことができるのであれば、必ずしも水平である必要はなく、傾斜していてもよい。
また、係止部材２２は、その下面２２ｄの前端部に、先端に向かって上向きに傾斜し、側壁となす角が鋭角である傾斜部２２ｂを有している。さらに、係止部材２２は、その下面２２ｄ後端部に、下方向に突出する突起部２２ｃが形成されている。
【００３８】
解除レバー２４は、載置板２１に沿って前後方向（横方向）に移動可能に設けられた板状部材である。解除レバー２４は、図３（ａ）に示すように、保持板２１ｂ，２１ｃにより、載置板２１と所定の間隔を維持した状態で配置されている。
【００３９】
解除レバー２４は、前端部が係止部材２２の突起部２２ｃに取り付けられている。そのため、解除レバー２４には弾性部材２３による前方向の力が付勢されている。解除レバー２４は、後側に押圧されることにより、係止部材２２を後側に移動して、係止孔１２から外れる。そのため、利用者は、解除レバー２４を操作することにより、ステージ２０の係止状態を解除することができる。
【００４０】
解除レバー２４は、後記するストッパ２５を係止するためのストッパ孔２４ａと、係止解除手段１５を挿入するための解除孔２４ｂを備えている。
また、解除孔２４ｂの孔縁の後ろ側には、上向きに傾斜した傾斜板２４ｃが形成されている。
【００４１】
ステージ２０は、図３（ａ）に示すように、載置板２１と解除レバー２４との間に、ストッパ２５が設けられている。このストッパ２５は、解除レバー２４が後側に移動した際に、解除レバー２４をその位置で固定する保持手段として機能する。
【００４２】
ストッパ２５は、左右方向を軸として回転可能に保持されたストッパ本体２５ａと、ストッパ孔２４ａに係止可能となるようにストッパ本体２５ａの下面に固定された板バネ２５ｂと、ストッパ本体２５ａの後面側から突設されたストッパ弁２５ｃとを備えている。
板バネ２５ｂは、解除レバー２４の上面に対して下向きの力を付勢するように配置されている。なお、板バネ２５ｂの配置位置は、解除レバー２４が工法に移動したときのストッパ孔２４ａの位置に対応する位置である。この板バネ２５ｂは、解除レバー２４が後方に移動したときにストッパ孔２４ａ内に入り込む。
【００４３】
集積ガイド３０は、図３（ａ）および図３（ｂ）に示すように、ステージ２０の上方に設けられている。この集積ガイド３０は、配設された、一対のガイド部材３１，３２により構成されている。
ガイド部材３１，３２は、断面Ｕ字状の溝形部材により構成されている。ガイド部材３１，３２は、互いの溝（Ｕの字）の開口面が対向するように配置されており、搬送された紙幣Ｓの両端部を一時的に保持する。
【００４４】
後側に設けられたガイド部材３１は、その下面に、ストッパ２５による解除レバー２４（係止部材２２）の固定（保持）状態を解除するための弁押ピン（保持状態解除部）３１ａが下向きに突出した状態で設けられている。
【００４５】
押圧プレート４０は、図３（ａ）および図３（ｂ）に示すように、ステージ２０の上方において、略水平を維持した状態で昇降可能に設けられている。
押圧プレート４０は、集積ガイド３０に収納された紙幣Ｓをステージ１１上に落とし込む部材として機能するとともに、所定枚数の紙幣Ｓが媒体収容部５に入金された際にステージ１１に押圧力を付与する部材として機能する。
【００４６】
取り込みローラ５０は、媒体収容部５に搬送された紙幣Ｓを集積ガイド３０内に誘導する手段である。取り込みローラ５０は、図３（ｂ）に示すように、カセット１０の左側上方の集積ガイド３０の対応する位置に配置されている。
【００４７】
本実施形態では、取り込みローラ５０として、上下に二つのローラ部材５１，５２を備えるものとする。また、下側のローラ部材５２は、複数の舌片５３を備えており、紙幣Ｓの集積ガイド３０への挿入を確実に行うことができる。
なお、取り込みローラ５０の設置箇所や構成は、図示例に限定されるものではなく、適宜設定することが可能である。
【００４８】
付勢部材６０は、ステージ２０に下方から上向きの力を付勢する部材であって、本実施形態では、図３（ｂ）に示すように、左右２箇所に配置されている。付勢部材６０は、載置板２１の下面からステージ２０を押し上げている。
なお、付勢部材６０の構成は、ステージ２０へ上向きの力を作用させることが可能であれば限定されるものではないが、本実施形態ではバネを使用する。また、本実施形態では、付勢部材６０として、ステージ２０を下面から押し上げるものとしたが、上方から引き上げるものであってもよい。
【００４９】
次に、紙幣自動入金機１の動作について、説明する。
ここで、図４は紙幣Ｓが収容される際の媒体収容部５の動作状況を示す図であって、（ａ）は紙幣Ｓの集積ガイド３０への挿入時の横断面図、（ｂ）は同縦断面図で、（ｃ）は押圧プレート４０動作時の横断面図、（ｄ）は同縦断面図である。
【００５０】
紙幣Ｓが媒体収容部５に搬送されると、図４（ａ）および図４（ｂ）に示すように、紙幣Ｓの端部までが完全に集積ガイド３０内に収容されるように紙幣Ｓを押圧する。
集積ガイド３０の後端部には、図示しないセンサが設けられている。紙幣自動入金機１は、このセンサによって紙幣Ｓが集積ガイド３０の後端から突出していないことを確認するまで、舌片５３による押圧を行う。
【００５１】
集積ガイド３０に紙幣Ｓが入りきると、紙幣自動入金機１は、図４（ｃ）および図４（ｄ）に示すように、図示せぬモータにて集積ガイド３０を上昇させるとともに、押圧プレート４０を下降させる。これにより、紙幣自動入金機１は、集積ガイド３０内の紙幣Ｓを、ステージ２０の上面に載置させる。
このとき、ステージ２０は、係止部材２２が係止孔１２に挿入されており、所定の高さ位置に固定されている。
【００５２】
紙幣Ｓがステージ２０の上面に載置されたら、紙幣自動入金機１は、集積ガイド３０を下降させるとともに、押圧プレート４０を上昇させる。これにより、紙幣自動入金機は、ステージ２０の上面と集積ガイド３０の下面とにより、紙幣Ｓを把持する。
【００５３】
前記動作により所定枚数の紙幣Ｓが媒体収容部５に収容されたら、紙幣自動入金機１は、ステージ２０を下降させる。これにより、紙幣自動入金機１は、紙幣Ｓの収容スペースを確保する。
図５（ａ）〜（ｃ）は、ステージ２０の下降時の動作状況を示す図である。
【００５４】
媒体収容部５に搬送された紙幣Ｓは、図５（ａ）に示すように、所定の高さに固定されたステージ２０と集積ガイド３０とにより把持されている。
所定枚数の紙幣Ｓが集積されると、紙幣自動入金機１は、ステージ２０と集積ガイド３０との間に新たな紙幣Ｓを挿入することができなくなるため、図５（ｃ）に示すように、ステージ２０を一段下げる（係止部材２２による係止箇所を一つ下の係止孔１２に移動させる）。これにより紙幣自動入金機１は、ステージ２０と集積ガイド３０との間に紙幣Ｓを挿入するためのスペースを確保する。
【００５５】
ステージ２０の下降は、図５（ａ）および（ｂ）に示すように、押圧プレート４０を下降させて付勢部材６０の付勢力よりも大きな下方向の押圧力をステージ２０に作用させることにより行う。
【００５６】
押圧プレート４０は、所定枚数の紙幣Ｓが媒体収容部５に搬送された際に、ステージ２０を押し下げるように制御されている。例えば、紙幣Ｓの設定枚数を２０枚と設定されている場合には、押圧プレート４０は、媒体収容部５に紙幣Ｓが２０枚搬送される毎に、ステージ２０を一段下げる。なお、紙幣Ｓの枚数は、この枚数に限定されるものではなく、適宜設定することが可能である。また、押圧プレート４０は、集積された全紙幣Ｓの厚みに応じて下降することでステージ２０を一段下げる構成としてもよい。
【００５７】
所定枚数の紙幣Ｓが媒体収容部５に搬送されると、紙幣自動入金機１は、図５（ｂ）に示すように、押圧プレート４０が下降して、ステージ２０が押圧プレート４０の押圧力により下降する。係止部材２２は、ステージ２０の下降にともない、下面の傾斜部２２ｂが係止孔１２の孔縁に沿って摺動する。これにより、係止部材２２は、後側に横移動する。このとき、係止部材２２は、係止孔１２から外れ、これにより、ステージ２０の係止状態が解除される。
そして、紙幣自動入金機１は、係止部材２２が次の係止孔１０ｂに対応する位置となるまで、さらに押圧プレート４０の押圧力によりステージ２０を下降させる。これにより、図５（ｃ）に示すように、係止部材２２が係止孔１２に入り込み、ステージ２０は一段下がった位置で固定される。
【００５８】
紙幣自動入金機１は、媒体収容部５が紙幣Ｓにより満載となったら、ステージ２０の係止状態を解除する。これにより、紙幣Ｓは、取り出しが可能な状態になる。
図６（ａ）〜（ｃ）は、媒体収容部５に紙幣Ｓが満載となったときのステージ２０の係止状態を解除する動作を示す図である。
【００５９】
媒体収容部５に紙幣Ｓが満載になり、ステージ２０がカセット１０の底部に到達すると、カセット１０の底面１６から上向きに突出するように形成された係止解除手段１５が、解除レバー２４の解除孔２４ｂに入り込む。係止解除手段１５の上面には、傾斜板２４ｃと同じ角度の傾斜部１５ａが形成されている。
【００６０】
係止解除手段１５が解除孔２４ｂに入り込んだ状態で、さらにステージ２０が下降すると、傾斜板２４ｃが傾斜部１５ａに沿って摺動する。これにより、解除レバー２４が後側へ移動する。
解除レバー２４が後側へ移動すると、解除レバー２４に伴い、係止部材２２も後側に移動する。これにより、ステージ２０の係止状態が解除される。
【００６１】
また、解除レバー２４が後側に移動すると、ストッパ孔２４ａがストッパ２５の板バネ２５ａの直下に配置され、板バネ２５ｂがストッパ孔２４ａに入り込む。ストッパ孔２４ａに板バネ２５ｂが入り込むことで、後側に移動した解除レバー２４が固定される。
【００６２】
解除レバー２４が後側に移動した状態で固定されることで、係止部材２２によるステージ２０の係止状態が解除される。
【００６３】
係員により紙幣Ｓが媒体収容部５から取り出されると、ステージ２０は付勢部材６０（図３参照）により上方向に押し上げられる。
ステージ２０が集積ガイド３０に当接する位置まで上昇すると、図６（ｃ）に示すように、集積ガイド３０の弁押ピン３１ａによりストッパ２５のストッパ弁２５ｃを下方向に押し付けられる。ストッパ弁２５が下方向に押し付けられると、ストッパ本体２５ａが回転する。これにより、板バネ２５ｂが上昇し、ストッパ孔２４ａから引き出される。このとき、解除レバー２４の後側での固定状態が解除される。そして、弾性部材２３の前方向の力により前側に押戻されて、また、係止部材２２が係止孔１２に挿入されて、ステージ２０が固定される。
【００６４】
以上、本実施形態の媒体収容部５および紙幣自動入金機１によれば、ステージ２０の係止部として、ラックなどの部材を別途設けることなく、カセット１０の側壁１１に直接形成された係止孔１２を利用するため、部品点数を最小限に抑えることが可能となる。そのため、媒体収容部５の小型化及び軽量化が実現される。また、カセット１０の側壁１１に係止孔１２を形成することでカセット１０自体の軽量化が実現されている。
【００６５】
また、媒体収容部５は、押圧プレート４０の押圧力によりステージ２０を自動的に下降させる構成となっているため、従来の紙幣自動入金機のように、ステージ２０を下降させるためのモータを別途用いる必要がない。
【００６６】
なお、紙幣Ｓが満載に集積された際には、自動的にステージ２０の係止状態が解除される。そのため、係員がステージ２０を上昇させるための操作を行う必要がなく、紙幣Ｓの取り出し作業を簡易に行うことができる。
また、紙幣Ｓの取り出し後についても、自動的に解除レバー２４の固定状態を解除して、ステージの固定が実現されるため、この作業に要する作業員の手間を省略することが可能である。
そのため、紙幣自動入金機１は、操作性に優れている。
【００６７】
また、カセット１０の側壁１１に形成された係止孔１２は、下方に行くに従いその間隔が小さくなるように形成されている。そのため、紙幣Ｓの積層枚数が増加することで、係止部材２２の位置と係止孔１２の位置とにずれが生じることが防止できる。
【００６８】
図７（ａ）および（ｂ）は、第二の実施形態に係る解除レバー２４の動作を示す断面図である。
前記第一の実施形態では、紙幣Ｓが満載となった際に、係止解除手段１５を介して自動的に解除レバー２４を後側に移動させて、係止状態を解除するものとしたが、第二の実施形態では、解除レバー２４の操作を係員が行う場合について説明する。
【００６９】
つまり、図７（ａ）および（ｂ）に示すように、解除レバー２４の後端部のつまみ２４ｄを係員が後方向に押すことで、解除レバー２４を後方向に移動させて、係止部材２２による係止状態を解除する。
【００７０】
これにより、係止解除手段１５や弁押ピン３１ａを省略し、さらなる媒体収容部５の軽量化および小型化が可能となる。また、解除レバー２４についても、ストッパ孔２４ａ、解除孔２４ｂを省略し、解除レバー２４の構成を簡易にすることで製造コストを削減することが可能となる。また、ストッパ２５を省略することで、装置の簡素化を図ることが可能となる。
【００７１】
以上、本発明について、好適な実施の形態を説明した。しかし、本発明は、前記各実施の形態に限られず、前記の各構成要素については、本発明の趣旨を逸脱しない範囲で、適宜設計変更が可能である。
【００７２】
例えば、前記各実施形態では、載置板２１の下側に配設された解除レバー２４を介して係止部材２２による係止状態を解除する構成となっている。しかしながら、例えば、カセット１０（係止孔１２）の外側から、係止部材２２を押圧することにより係止状態を解除する構成にすることにより、解除レバー２４を省略してもよい。これにより、ステージ２０のさらなる簡素化を図ることが可能となり、媒体収容部５のさらなる小型化および軽量化を図ることができる。
【００７３】
また、ストッパ２５の解除は、必ずしも弁押ピン３１ａにより行う必要はなく、係員が手動で行ってもよい。
【００７４】
また、前記各実施形態では、係止部材２２の傾斜部２２ｂの形状を平坦とし、係止部材２２の断面形状が矩形状に形成されている場合について説明したが、傾斜部２２ｂの断面形状を、下側に凸となる円弧状や三角形状に形成してもよい。これにより係止孔１２の孔縁との接触面積を小さくし、ステージ２０の下降時の押圧プレート４０による押圧力の低減化を図ることが可能となる。
また、カセット１０の大きさや容量は限定されるものではなく適宜設定することが可能である。
【図面の簡単な説明】
【００７５】
【図１】本発明の好適な実施形態に係る紙幣自動入金機を示す概略図である。
【図２】（ａ）は第一の実施形態に係る媒体収容部の構成を示す斜視図、（ｂ）は同媒体収容部の断面図である。
【図３】（ａ）は図２（ｂ）のＡ−Ａ断面図、（ｂ）は図３（ａ）のＢ−Ｂ断面図である。
【図４】（ａ）は紙幣の集積ガイド挿入時の横断面図、（ｂ）は同縦断面図で、（ｃ）は押圧プレート動作時の横断面図、（ｄ）は同縦断面図である。
【図５】（ａ）〜（ｃ）は、ステージの下降時の動作状況を示す図である。
【図６】（ａ）〜（ｃ）は、媒体収容部に紙幣が満載となったときのステージの係止状態を解除する動作を示す図である。
【図７】（ａ）および（ｂ）は、第二の実施形態に係る解除レバー２４の動作を示す断面図である。
【図８】（ａ）は、従来の紙幣自動入金機に係る媒体収容部の構成を示す側面図、（ｂ）は引用文献１に記載の紙幣自動入金機の概要を示す斜視図である。
【符号の説明】
【００７６】
１      紙幣自動入金機
２      入金部
３      認識部
４      保留部
５      媒体収容部
１０    カセット（箱体）
１１    側壁
１２    係止孔
１４    ガイドレール
１５    係止解除手段
２０    ステージ
２２    係止部材
２２ａ  上面
２２ｂ  傾斜部
２２ｃ  突起部
２２ｄ  下面
２３    弾性部材
２４    解除レバー
２４ａ  ストッパ孔
２４ｂ  解除孔
２４ｃ  傾斜板
２５    ストッパ（保持手段）
３０    集積ガイド
３１ａ  弁押ピン（保持状態解除部材）
４０    押圧プレート
５０    取り込みローラ
６０    付勢部材
Ｓ      紙幣（媒体）
【図１】
2010122935.tif 000003
【図２】
2010122935.tif 000004
【図３】
2010122935.tif 000005
【図４】
2010122935.tif 000006
【図５】
2010122935.tif 000007
【図６】
2010122935.tif 000008
【図７】
2010122935.tif 000009
【図８】
2010122935.tif 000010